(57)【要約】【課題】  接続不良判定回路自体を携行可能として、任意の電路の接続不良を検出可能とした接続不良検出器を提供する。【解決手段】  検出対象電路の上流と下流の双方に接触させて電路の電圧情報を入手するための一対のプローブ６を備えた携行可能な筐体１０内に、プローブ６の間に発生する電圧差によりオン動作するフォトカプラ１２を具備し、フォトカプラ１２のオン動作を受けて信号を出力するセンサ回路１と、センサ回路１の出力信号を基に接続不良を検出する接続不良判定回路２とが組み込まれ、接続不良判定回路２の出力信号を基に接続不良発生を表示する表示部１０ａを筐体に設けた。【選択図】  図１
2016169984.tif 000002
【特許請求の範囲】
【請求項１】
電路の電圧情報を入手するための一対の電圧検出手段を備えた携行可能な筐体内に、前記電圧検出手段の間に発生する電圧差によりオン動作するフォトカプラを具備し、
前記フォトカプラのオン動作を受けて信号を出力するセンサ回路と、
前記センサ回路の出力信号を基に接続不良を判定する接続不良判定回路とが組み込まれる一方、
前記接続不良判定回路の出力信号を基に、接続不良発生を表示する表示部を前記筐体に備え、
前記一対の電圧検出手段の一方を検査対象電路の上流側に、他方を下流側に接触させることで、前記検出対象電路の接続不良を検出することを特徴とする接続不良検出器。
【請求項２】
前記接続不良判定回路の出力信号を基にブザーを発報させるブザー回路を有し、接続不良発生と判断したら前記ブザーが鳴動することを特徴とする請求項１記載の接続不良検出器。
【請求項３】
前記センサ回路、前記接続不良判定回路、前記表示回路、及び前記ブザー回路を駆動する電池を前記筐体に収容してなることを特徴とする請求項２記載の接続不良検出器。
【発明の詳細な説明】
【技術分野】
【０００１】
本発明は、分電盤等の電路接続部の接続不良を検出する接続不良検出器に関する。
【背景技術】
【０００２】
分電盤等の比較的大きな電流が流れる電路は電線や導体バーにより形成され、端子等に接続する際はねじ止め等で密着されるが、ねじの緩み等で接続部に緩みが発生すると発熱やアークが発生して危険な状態となるため、それを検出する回路が別途取り付けられている場合がある。
例えば特許文献１では、接続部を含む電路の上流と下流の電圧差を検出して異常電圧が発生したらオンするフォトカプラを配置し、このフォトカプラのオン動作が所定の条件を満たしたら接続不良発生と判断する接続不良判定回路を組み付けて接続不良を検出させた。
【先行技術文献】
【特許文献】
【０００３】
【特許文献１】特開２００９−１４５０８３号公報
【発明の概要】
【発明が解決しようとする課題】
【０００４】
上記特許文献１の技術は、ねじの緩み等により接触抵抗が増大した場合に発生する電位差からフォトカプラがオンすることで、接続不良の発生を早期に検出することができた。
しかしながら、個々の接続部にこのような接続不良判定回路を設けることはコスト高となり現実的ではなかったし、既設の分電盤等に回路を組み込むことは難しかった。
【０００５】
そこで、本発明はこのような問題点に鑑み、接続不良判定回路自体を携行可能として、任意の電路の接続不良を検査可能とした接続不良検出器を提供することを目的としている。
【課題を解決するための手段】
【０００６】
上記課題を解決する為に、請求項１の発明に係る接続不良検出器は、電路の電圧情報を入手するための一対の電圧検出手段を備えた携行可能な筐体内に、電圧検出手段の間に発生する電圧差によりオン動作するフォトカプラを具備し、フォトカプラのオン動作を受けて信号を出力するセンサ回路と、センサ回路の出力信号を基に接続不良を検出する接続不良判定回路とが組み込まれる一方、接続不良判定回路の出力信号を基に、接続不良発生を表示する表示部を筐体に備え、一対の電圧検出手段の一方を検査対象電路の上流側に、他方を下流側に接触させることで、検出対象電路の接続不良を検出することを特徴とする。
この構成によれば、電圧検出手段を備えた筐体を携行して検査対象の電路の上流、下流の２箇所に電圧検出手段を接触させれば、その電圧検出手段の間の電路における接続不良の有無を検査でき、個々の接続部に接続不良判定回路を設ける必要がないし、複数の電路に対して容易に対応できる。そして、表示部の表示により接続不良発生を認識でき、見落としを防止できる。
【０００７】
請求項２の発明は、請求項１に記載の構成において、接続不良判定回路の出力信号を基にブザーを発報させるブザー回路を有し、接続不良発生と判断したらブザーが鳴動することを特徴とする。
この構成によれば、ブザーの鳴動により接続不良検知を報知するため、認識し易い。
【０００８】
請求項３の発明は、請求項２に記載の構成において、センサ回路、接続不良判定回路、表示回路、及びブザー回路を駆動する電池を筐体に収容してなることを特徴とする。
この構成によれば、筐体内の各回路は電池により駆動されるため、接続不良を検出する際に別途電源を接続する必要が無い。よって、携行した状態で容易に検出操作できる。
【発明の効果】
【０００９】
本発明によれば、電圧検出手段を備えた筐体を携行して検査対象の電路の上流、下流の２箇所に電圧検出手段を接触させれば、その電圧検出手段間の電路において接続不良の有無を検査でき、個々の接続部に接続不良判定回路を設ける必要がないし、複数の電路に対して容易に対応できる。
【図面の簡単な説明】
【００１０】
【図１】本発明に係る接続不良検出器の一例を示す回路図である。
【図２】使用状態の説明図である。
【発明を実施するための形態】
【００１１】
以下、本発明を具体化した実施の形態を、図面を参照して詳細に説明する。図１は本発明に係る接続不良検出器の一例を示し、内部回路を示している。図１において、１はセンサ回路、２は接続不良の有無を判断する接続不良判定回路、３はＬＥＤ３１，３２を備えてその発光を制御するＬＥＤ回路、４はブザー素子４１を備えてその鳴動を制御するブザー回路、５は各回路を駆動する電池である。尚、Ａ，Ｂ，Ｃの各点は図面上では分断されているが、それぞれ接続される。
【００１２】
センサ回路１は、検査対象の電路に接触させる一対の電圧検出手段としてのプローブ６（図２に示す）を接続するプローブ接続端子１１を有し、プローブ６を接触させた電路間の電圧の差によりオン動作するＡＣ対応のフォトカプラ１２と、フォトカプラ１２のオン動作を受けてオンするトランジスタ１３を有し、フォトカプラ１２のオン動作により電圧信号が接続不良判定回路２へ出力される。
【００１３】
接続不良判定回路２は、センサ回路１の出力信号を受けて信号を平均化する平均値回路２１、予め設定された閾値と比較して閾値を超えた信号が入力されたら信号を出力する判定回路２２、判定回路２２の出力信号を受けて所定時間信号を出力する自己保持回路２３を有し、判定回路２２がオン動作したら、即ち接続不良を検知したら自己保持回路２３からＬＥＤ回路３に信号（接続不良発生信号）が出力される。
【００１４】
ＬＥＤ回路３は、表示部を構成する赤色ＬＥＤ３１と緑色ＬＥＤ３２を有し、正常状態では緑色ＬＥＤ３２が常時発光している。接続不良判定回路２の接続不良発生信号を受けると、緑色ＬＥＤ３２がオフして赤色ＬＥＤ３１が発光する。また接続不良発生信号はブザー回路４にも伝送され、接続不良発生信号を受けたブザー回路４はブザー素子４１が鳴動する。
尚、ＬＥＤ回路３には、ブザー回路４をリセットするブザー停止ボタン３３を備え、このオン操作によりブザー素子４１の鳴動が停止すると共に、赤色ＬＥＤ３１がオフして、緑色ＬＥＤ３２が再び発光する。
【００１５】
このように、緑色ＬＥＤ３２がオフして赤色ＬＥＤ３１が発光するのに加えて、ブザー素子４１の鳴動により接続不良を検知したら報知するため、発光と音の双方により接続不良を認識し易い。また、筐体１０内の各回路は電池５により駆動されるため、接続不良を検出する際に別途電源を接続する必要が無く、携行した状態で容易に検出操作でき、簡易な操作で検査できる。
【００１６】
図２は使用状態を示す説明図であり、分電盤の電路を検査する場合を示している。筐体１０に接続された２本のプローブ６（６ａ，６ｂ）の一方を検査対象の電路の上流側、他方を下流側に接触させた状態を示している。図２において、５１は主幹ブレーカ、５２は分岐ブレーカ、５３は銅バーで形成された電路であり、一方のプローブ６ａを主幹ブレーカ５１の電源側端子に接触させ、他方のプローブ６ｂを同一電路５３の分岐ブレーカ５２の２次側端子に接触させている。
【００１７】
このプローブ６の配置により、接触させた区間の電路５３が検査され、その区間において接続部の緩み等が無く良好な接続状態であれば、両プローブ６ａ，６ｂ間に異常な電圧は発生しないため、フォトカプラ１２がオンすることはない。尚、検査は分電盤内の電路５３を通電させて接続負荷を稼働させた状態で実施される。また、１０ａは赤色ＬＥＤ３１、緑色ＬＥＤ３２が配置された窓（表示部）である。
【００１８】
ところが、ねじの緩み等による接続不良箇所が発生すると、アーク放電が発生するような高抵抗状態になると、プローブ６ａ，６ｂ間に異常電圧が発生する。この電圧は、最大で電路５３に印加されている電源電圧に近い値で発生するため、この電位差によりセンサ回路１のフォトカプラ１２がオンして、センサ回路１から電圧信号が出力される。
【００１９】
接続不良判定回路２は、センサ回路１からの出力信号が頻繁に発生して平均値が閾値を上回ったら接続不良発生信号を出力し、緑色ＬＥＤ３２が消灯して赤色ＬＥＤ３１が発光する。同時にブザー素子４１が鳴動動作する。
【００２０】
このように、プローブ６を備えた筐体１０を携行して検査対象の電路５３の上流、下流の２箇所にプローブ６を接触させれば、そのプローブ６の間の電路５３における接続不良の有無を検査でき、個々の接続部に接続不良判定回路を設ける必要がないし、複数の電路５３に対して容易に対応できる。
【００２１】
尚、上記実施形態では、電路５３に接触させる電圧検出手段をプローブ６としているが、クリップ部材を用いて電路５３を挟持しても良く、接触状態を容易に継続させることができる。
【符号の説明】
【００２２】
１・・センサ回路、２・・接続不良判定回路、３・・ＬＥＤ回路、４・・ブザー回路、５・・電池、６・・プローブ（電圧検出手段）、１０・・筐体、１０ａ・・表示部、１２・・フォトカプラ、４１・・ブザー素子（ブザー）。
【図１】
2016169984.tif 000003
【図２】
2016169984.tif 000004